(57)【要約】【課題】  シャツや眼鏡などを空気と共に密封しても、収容物の移動を極力防止することのできるプラスチックフィルム製袋を得る。【解決手段】  フィルム１１，１２からなる４角形状の袋１０。辺１０ａ，１０ｂ，１０ｃが熱溶着されている。辺１０ｄは収容物を出し入れするための開口部とされ、該開口部の内側面には密閉型ジッパー１５が設けられている。フィルム１１，１２の間には、不織布１３が辺１０ａ，１０ｂ，１０ｃにて熱溶着されている。不織布１３にはスリット１３ａ，１３ｂが形成されており、シャツＡはその上部をスリット１３ｂ，１３ａをくぐらせてフィルム１１と不織布１３との間に挿入し、襟Ｂをスリット１３ａに上方から当てた状態で適量の空気と共に収容し、ジッパー１５を閉じて密閉する。密閉された空気が緩衝手段として機能し、不織布１３がシャツＡの位置固定手段として機能する。ジッパー１５を設けることなく下辺１０ｄを熱溶着してもよい。【選択図】  図１
2005153948.tif 000002
【特許請求の範囲】
【請求項１】
非通気性プラスチックフィルムからなるほぼ４角形状の袋体からなり、３辺が非通気状態で閉止されており、かつ、他の１辺に内部を密閉するためのジッパーが設けられているプラスチックフィルム製袋であって、
前記袋体を構成する表裏のフィルムの間に少なくとも１枚のシート材が該シート材の少なくとも２辺にて固着されており、該シート材の少なくとも１辺は非固着状態であり、
物品を前記袋体内に収容して前記ジッパーを閉止することにより、袋体内に密閉された気体を緩衝手段として機能させ、かつ、前記シート材を収容品の位置固定手段として機能させること、
を特徴とするプラスチックフィルム製袋。
【請求項２】
前記シート材はその表面が収容物の滑り止めのための粗面を有していることを特徴とする請求項１に記載のプラスチックフィルム製袋。
【請求項３】
前記シート材は不織布であることを特徴とする請求項２に記載のプラスチックフィルム製袋。
【請求項４】
前記シート材に少なくとも一つのスリットが形成されていることを特徴とする請求項１、請求項２又は請求項３に記載のプラスチックフィルム製袋。
【請求項５】
非通気性プラスチックフィルムからなるほぼ４角形状の袋体からなり、３辺が非通気状態で閉止されており、かつ、他の１辺に内部を密閉するためのジッパーが設けられているプラスチックフィルム製袋であって、前記袋体を構成する表裏のフィルムの間に少なくとも１枚のシート材が該シート材の少なくとも２辺にて固着されており、該シート材の少なくとも１辺は非固着状態であるプラスチックフィルム製袋を用いた物品収容方法において、
物品を前記袋体内に収容して前記ジッパーを閉止することにより、袋体内に密閉された気体を緩衝手段として機能させ、かつ、前記シート材を収容品の位置固定手段として機能させること、
を特徴とする物品収容方法。
【請求項６】
非通気性プラスチックフィルムからなるほぼ４角形状の袋体からなり、４辺が非通気状態で閉止された物品包装用プラスチックフィルム製袋であって、
前記袋体を構成する表裏のフィルムの間に少なくとも１枚のシート材が該シート材の少なくとも２辺にて固着されており、該シート材の少なくとも１辺は非固着状態であり、
予め１辺が開口されている前記袋体内に物品を収容して該１辺を非通気状態に閉止することにより、袋体内に密閉された気体を緩衝手段として機能させ、かつ、前記シート材を収容品の位置固定手段として機能させること、
を特徴とする物品包装用プラスチックフィルム製袋。
【請求項７】
前記シート材が前記表裏フィルムのいずれか一方の内面に部分的に固着されていることを特徴とする請求項６に記載の物品包装用プラスチックフィルム製袋。
【請求項８】
前記シート材が前記表裏フィルムのそれぞれの内面に部分的に固着されており、気体を密閉して表裏フィルムが膨らんだときにシート材の中央部分が表裏フィルムのいずれとも接触しない状態になることを特徴とする請求項６に記載の物品包装用プラスチックフィルム製袋。
【請求項９】
非通気性プラスチックフィルムからなるほぼ４角形状の袋体からなり、４辺が非通気状態で閉止された物品包装用プラスチックフィルム製袋であって、前記袋体を構成する表裏のフィルムの間に少なくとも１枚のシート材が該シート材の少なくとも２辺にて固着されており、該シート材の少なくとも１辺は非固着状態であるプラスチックフィルム製袋を用いた物品包装方法において、
予め１辺が開口されている前記袋体内に物品を収容して該１辺を非通気状態に閉止することにより、袋体内に密閉された気体を緩衝手段として機能させ、かつ、前記シート材を収容品の位置固定手段として機能させること、
を特徴とする物品包装方法。
【発明の詳細な説明】
【技術分野】
【０００１】
本発明は、プラスチックフィルム製袋、物品包装用プラスチックフィルム製袋、物品収容方法、及び物品包装方法に関する。
【背景技術】
【０００２】
近年、プラスチックフィルムからなる袋体の１辺開口部に、それぞれ嵌合／解除可能な凹部と凸部とを形成したプラスチック製ジッパーを設けた収容袋が種々提供されている。
【０００３】
現在、提供されているプラスチック製ジッパーは気体密閉タイプと気体非密閉タイプとが存在する。この気体密閉タイプのジッパーと逆止弁とを組み合わせることにより、衣類や布団などの圧縮袋が多種市販されている。しかしながら、この種の圧縮袋では収容した衣類などが“しわ”になったり、“型くずれ”を生じるという問題点を有していた。また、眼鏡などの変形・破損しやすい物品では外部からの衝撃が直接的に物品に作用し、保護機能に欠けるという問題点も有していた。
【０００４】
そこで、本発明者は、気体密閉タイプのジッパーを備えたプラスチック製袋に衣類などの物品を空気と共に密閉することを考えたが、単に密閉するだけでは、袋内で収容品が移動し、“しわ”や“型くずれ”を防止すること、あるいは、保護機能を保持させることは困難であることが判明した。
【発明の開示】
【発明が解決しようとする課題】
【０００５】
そこで、本発明の目的は、シャツなどの衣類あるいは眼鏡などの小物を空気と共に密封しても、収容物の移動を極力防止することができ、“しわ”や“型くずれ”を防止すること、あるいは、保護機能を保持させることのできるプラスチックフィルム製袋、物品包装用プラスチックフィルム製袋、物品収納方法及び物品包装方法を提供することにある。
【課題を解決するための手段】
【０００６】
前記目的を達成するため、本発明に係るプラスチックフィルム製袋は、非通気性プラスチックフィルムからなるほぼ４角形状の袋体からなり、３辺が非通気状態で閉止されており、かつ、他の１辺に内部を密閉するためのジッパーが設けられているプラスチックフィルム製袋であって、前記袋体を構成する表裏のフィルムの間に少なくとも１枚のシート材が該シート材の少なくとも２辺にて固着されており、該シート材の少なくとも１辺は非固着状態であり、物品を前記袋体内に収容して前記ジッパーを閉止することにより、袋体内に密閉された気体を緩衝手段として機能させ、かつ、前記シート材を収容品の位置固定手段として機能させることを特徴とする。
【０００７】
本発明に係るプラスチックフィルム製袋においては、袋体にシャツなどの衣類や眼鏡などを収容して適量の気体（通常は空気である）と共にジッパーを閉じ、例えば、襟などの突出部を内部に設けたシート材の非固定部分に当てることで衣類のずれが防止され、"しわ"や“型くずれ”が生じることがない。
【０００８】
即ち、本発明に係るプラスチックフィルム製袋にあっては、ジッパーによって袋をいわば風船状態に密閉して物品を収容するため、密閉された気体が緩衝手段として機能すると共に、シート材が物品の位置固定手段として機能し、収容品の移動を極力阻止するのである。
【０００９】
シート材はその表面が収容物の滑り止めのための粗面を有していることが好ましく、不織布などを用いれば好適である。なお、シート材は平滑なプラスチックフィルムでもよく、その場合は、クリップなどを用いて衣類などをシート材の非溶着部分に止めておけばよい。
【００１０】
また、前記シート材に少なくとも一つのスリットが形成されていることが好ましい。衣類の折り畳んだ部分をシート材のスリットを通しておけば、衣類の移動をより効果的に防止することができる。
【００１１】
なお、気体非密閉タイプのジッパーを用いることは、短時間では気体を密閉した状態を保持できるが、圧力がかかるバッグなどの中にいれると、１日以上の長期にわたって密閉状態を保持することは困難である。
【００１２】
本発明に係る物品包装用プラスチックフィルム製袋は、非通気性プラスチックフィルムからなるほぼ４角形状の袋体からなり、４辺が非通気状態で閉止された物品包装用プラスチックフィルム製袋であって、前記袋体を構成する表裏のフィルムの間に少なくとも１枚のシート材が該シート材の少なくとも２辺にて固着されており、該シート材の少なくとも１辺は非固着状態であり、予め１辺が開口されている前記袋体内に物品を収容して該１辺を非通気状態に閉止することにより、袋体内に密閉された気体を緩衝手段として機能させ、かつ、前記シート材を収容品の位置固定手段として機能させることを特徴とする。
【００１３】
本発明に係る物品包装用プラスチックフィルム製袋は、物品の販売までの流通過程、保管過程で物品を包装しておくために用いられ、前記プラスチックフィルム製袋と異なって１辺にジッパーを設けることなく、物品を収容した後に該１辺を熱溶着などで非通気状態に閉止する。シート材を設けた作用効果は前記プラスチックフィルム製袋と同様である。
【００１４】
本発明に係る物品包装用プラスチック製袋にあっては、前記シート材が表裏フィルムのいずれか一方の内面に部分的に固着されていてもよい。この場合は、シート材が固着された一方のフィルムに密着し、他のフィルムとの間で比較的大きな空間部が生じ、この空間部が緩衝手段として機能する。
【００１５】
あるいは、前記シート材が表裏フィルムのそれぞれの内面に部分的に固着されており、気体を密閉して表裏フィルムが膨らんだときにシート材の中央部分が表裏フィルムのいずれとも接触しない状態になるようにしてもよい。この場合、シート材と表裏フィルムそれぞれの間に、即ち、袋の表面部及び裏面部にそれぞれ空間部が生じ、これらの空間部が緩衝手段として機能する。
【発明を実施するための最良の形態】
【００１６】
以下、本発明に係るプラスチックフィルム製袋、物品包装用プラスチックフィルム製袋、物品収容方法及び物品包装方法の実施例について添付図面を参照して説明する。
【００１７】
（第１実施例、図１参照）
図１（Ａ），（Ｂ）に、本発明の第１実施例であるプラスチックフィルム製袋１０にシャツＡを収容した状態を示す。
【００１８】
この袋１０は、表フィルム１１及び裏フィルム１２からなる４角形状の袋体からなり、上辺１０ａ及び両側辺１０ｂ，１０ｃが熱溶着（即ち、非通気状態と）されている。この熱溶着部分には図１（Ａ）に細線の斜線を付して示す。下辺１０ｄは収容物を出し入れするための開口部とされ、該開口部の内側面には従来周知の気体密閉型ジッパー１５が設けられている。熱溶着した上辺１０ａには吊り下げるための穴１４が形成されている。
【００１９】
また、表裏フィルム１１，１２の間には、図１（Ａ）に点線の斜線で示すように不織布１３が上辺１０ａと両側辺１０ｂ，１０ｃにて熱溶着されている。なお、不織布１３を示す点線の斜線は、シャツＡを収容した状態において、不織布１３が表フィルム１１を通して目視される部分に付されている。この不織布１３にはその中段部分にスリット１３ａ，１３ｂが形成されており、スリット１３ａ，１３ｂ及び下辺１３ｃは表裏フィルム１１，１２に対して非溶着である。
【００２０】
表裏フィルム１１，１２は、ポリエチレン、ポリプロピレンなどの熱溶着性で非通気性のプラスチックフィルムを素材としており、ラミネート材であってもよい。表裏フィルム１１，１２の少なくともいずれかの内面側に不織布や滑り止め処理を施したフィルムをラミネートしたものであってもよい。
【００２１】
ジッパー１５は、それぞれ嵌合／解除可能でかつ閉じたときに密閉性を得られる凹部と凸部との組合せからなり、図示しないがベース部分に凹部及び凸部をそれぞれ押出し成形にて一体的に形成した周知のものである。気体密閉型のジッパー１５としては、例えば、昭和高分子社製の品名エクシール、出光ユニテック社製の型番ＬＫ２５１を使用することができる。
【００２２】
なお、ジッパー１５としては、前記以外の気体密閉型のものを用いることができることは勿論であり、その構造や形状は任意である。
【００２３】
開ける際は、袋１０のフラップ部分を指で摘んで両側に引っ張り、ジッパー１５を強制的に解除する。一方、ジッパー１５の凹凸部の背部を指で押さえながらスライドさせて閉止するが、閉止操作を容易にするためにスライダ１６を取り付けてもよい。
【００２４】
以上の構成からなる袋１０は、ジッパー１５を解除して開口部から例えばシャツＡを収容する。このとき、シャツＡの上部はスリット１３ｂ，１３ａをくぐらせて表フィルム１１と不織布１３との間に挿入し、襟Ｂをスリット１３ａに上方から当てる。また、シャツＡの折り畳んだ後部は下辺１３ｃから不織布１３と裏フィルム１２との間に挿入する。その後、袋１０内に適量の空気を充填した状態でジッパー１５を閉じる。
【００２５】
以上のような状態で袋１０にシャツＡを収容しておけば、シャツＡは密閉された空気が緩衝機能を発揮することにより保護される。また、シャツＡは不織布１３は表面がざらついているために滑り止め機能を有し、袋１０内で位置ずれを起こして、"しわ"になったり、“型くずれ”を生じることはない。特に、シャツＡの襟Ｂを不織布１３のスリット１３ａに掛けておくことで、シャツＡのずり下がりを効果的に防止することができる。
【００２６】
（第２実施例、図２及び図３参照）
図２に、本発明の第２実施例であるプラスチックフィルム製袋２０にシャツＡを収容した状態を示す。
【００２７】
この袋２０は、前記第１実施例と同様に、表フィルム２１及び裏フィルム２２（図３（Ａ），（Ｂ）参照）からなる４角形状の袋体からなり、上辺２０ａ及び両側辺２０ｂ，２０ｃが熱溶着されている。この熱溶着部分には図２に細線の斜線を付して示す。下辺２０ｄは収容物を出し入れするための開口部とされ、該開口部の内側面にはジッパー２５が設けられている。
【００２８】
また、表裏フィルム２１，２２の間には、図２に点線の斜線で示すように不織布２３が上辺２０ａと両側辺２０ｂ，２０ｃにて熱溶着されている。なお、不織布２３を示す点線の斜線は、シャツＡを収容した状態において、不織布２３が表フィルム２１を通して目視される部分に付されている。この不織布２３の下辺２３ａは表裏フィルム２１，２２に対して非溶着である（図３（Ａ），（Ｂ）参照）。
【００２９】
なお、表裏フィルム２１，２２の素材及びジッパー２５は前記第１実施例で示したフィルム１１，１２及びジッパー１５と同様である。また、ジッパー２５には閉止操作を容易にするためにスライダ２６を取り付けてもよい。
【００３０】
以上の構成からなる袋２０は、ジッパー２５を解除して開口部から例えばシャツＡを収容する。このとき、シャツＡの上部は表フィルム２１と不織布２３との間に挿入し（図３（Ａ）参照）、シャツＡの折り畳んだ後部は不織布２３と裏フィルム２２との間に挿入する（図３（Ｂ）参照）。その後、袋２０内に適量の空気を充填した状態でジッパー２５を閉じる。
【００３１】
以上のような状態で袋２０にシャツＡを収容しておけば、密閉された空気が緩衝機能を発揮することは勿論、不織布２３は表面がざらついているために滑り止め機能を有し、シャツＡがずれて、"しわ"になったり、“型くずれ”を生じることはない。
【００３２】
（第３実施例、図４参照）
図４（Ａ），（Ｂ）に、本発明の第３実施例であるプラスチックフィルム製袋３０にシャツＡを収容した状態を示す。
【００３３】
この袋３０は、前記第１実施例と同様に、表フィルム３１及び裏フィルム３２からなる４角形状の袋体からなり、上辺３０ａ及び両側辺３０ｂ，３０ｃが熱溶着されている。この熱溶着部分には図４（Ａ）に細線の斜線を付して示す。下辺３０ｄは収容物を出し入れするための開口部とされ、該開口部の内側面にはジッパー３５が設けられている。
【００３４】
また、表裏フィルム３１，３２の間には、図４（Ａ）に点線の斜線で示すようにシート材３３が両側辺３０ｂ，３０ｃにて熱溶着されている。なお、シート材３３を示す点線の斜線は、シャツＡを収容した状態において、シート材３３が表フィルム３１を通して目視される部分に付されている。このシート材３３の上辺３３ａ及び下辺３３ｂは表裏フィルム３１，３２に対して非溶着である（図４（Ｂ）参照）。
【００３５】
なお、表裏フィルム３１，３２の素材及びジッパー３５は前記第１実施例で示したフィルム１１，１２及びジッパー１５と同様である。
【００３６】
以上の構成からなる袋３０は、ジッパー３５を解除して開口部から例えばシャツＡを収容する。このとき、シャツＡの上部は表フィルム３１とシート材３３との間に挿入し、シャツＡの折り畳んだ後部はシート材３３と裏フィルム３２との間に挿入する（図４（Ｂ）参照）。
【００３７】
そして、シャツＡの両肩部をクリップ３７にてシート材３３の上辺３３ａに留めると共に、シャツＡの折曲げ部をクリップ３８にてシート材３３の下辺３３ｂに留める。その後、袋３０内に適量の空気を充填した状態でジッパー３５を閉じる。
【００３８】
以上のような状態で袋３０にシャツＡを収容しておけば、密閉された空気が緩衝機能を発揮することは勿論、シャツＡはクリップ３７，３８にてシート材３３に留められているため、シャツＡがずれて、"しわ"になったり、型くずれを生じることはない。
【００３９】
なお、本第３実施例において、シート材３３は必ずしも不織布である必要はなく、プラスチックフィルムであってもよい。
【００４０】
（第４実施例、図５及び図６参照）
図５に、本発明の第４実施例であるプラスチックフィルム製袋４０に眼鏡Ｃを収容した状態を示す。
【００４１】
この袋４０は、図６（Ａ），（Ｂ），（Ｃ）に示すように、前記第１実施例と同様に、表フィルム４１及び裏フィルム４２からなる４角形状の袋体からなり、上辺４０ａ、左側辺４０ｂ及び下辺４０ｄが熱溶着されている。この熱溶着部分には図６（Ａ）に細線の斜線を付して示す。右側辺４０ｃは収容物を出し入れするための開口部とされ、該開口部の内側面にはジッパー４５が設けられている。
【００４２】
また、表裏フィルム４１，４２の間には、図６（Ａ）に点線の斜線で示すように不織布４３が上辺４０ａ，下辺４０ｄにて熱溶着されている。さらに、この不織布４３は上辺４０ａの近傍及び下辺４０ｄの近傍にて裏フィルム４２と熱溶着されている。この熱溶着ライン４３ａ，４３ｂは図６（Ａ）に細線の斜線を付して示す。不織布４３の両側辺４３ｃ，４３ｄは表裏フィルム４１，４２に対して非溶着である（図６（Ｃ）参照）。
【００４３】
不織布４３を裏フィルム４２と熱溶着（熱溶着ライン４３ａ，４３ｂ）したのは、不織布４３を裏フィルム４２側により密着させ、不織布４３と表フィルム４１との間に緩衝空間４４を確保するためである。
【００４４】
なお、表裏フィルム４１，４２の素材及びジッパー４５は前記第１実施例で示したフィルム１１，１２及びジッパー１５と同様である。
【００４５】
以上の構成からなる袋４０は、ジッパー４５を解除して開口部から例えば眼鏡Ｃを収容する。このとき、眼鏡Ｃのつる部Ｄは不織布４３と裏フィルム４２との間に挿入し、他の部分は表フィルム４１と不織布４３との間に挿入する。その後、袋４０内に適量の空気を充填した状態でジッパー４５を閉じる。
【００４６】
以上のような状態で袋４０に眼鏡Ｃを収容しておけば、緩衝空間４４に密閉された空気が緩衝機能を発揮し、レンズを保護することは勿論、眼鏡Ｃは不織布４３を挟み込んだ状態で留められ、大きく位置ずれを生じることがない。
【００４７】
（第５実施例、図７参照）
図７（Ａ），（Ｂ）に、本発明の第５実施例である物品包装用プラスチックフィルム製袋４０Ａに眼鏡Ｃを包装した状態を示す。
【００４８】
この袋４０Ａは、基本的には前記第４実施例で示した袋４０と同じ構成からなり、同じ部品、部分には同じ符号を付し、重複した説明は省略する。異なるのは、右側辺４０ｃにジッパー４５を設けることなく、該右側辺４０ｃも熱溶着した点にある。即ち、右側辺４０ｃは製袋時には開口しておき、眼鏡Ｃを前記第４実施例と同様に収容した後、適量の空気を充填した状態で右側辺４０ｃを熱溶着する。
【００４９】
これにて、本第５実施例の袋４０Ａは、緩衝空間４４に密閉された空気が緩衝機能を発揮して眼鏡Ｃのレンズを保護し、かつ、眼鏡Ｃの位置ずれも防止できる包装資材として利用される。
【００５０】
（第６実施例、図８参照）
図８（Ａ），（Ｂ），（Ｃ）に、本発明の第６実施例である物品包装用プラスチックフィルム製袋５０を示す。
【００５１】
この袋５０は、図８（Ａ），（Ｂ），（Ｃ）に示すように、前記各実施例と同様に、表フィルム５１及び裏フィルム５２からなる４角形状の袋体からなり、製袋時には両側辺５０ｂ，５０ｃ及び下辺５０ｄが熱溶着されている。この熱溶着部分には図８（Ｂ）に細線の斜線を付して示す。上辺５０ａは物品を収容するために製袋時には開口状態であり、物品を収容した後に適量の空気が充填された状態で熱溶着される。
【００５２】
また、表裏フィルム５１，５２の間には、図８（Ｂ）に点線の斜線で示すようにシート材５３が両側辺５０ｂ，５０ｃにて熱溶着されている。このシート材５３は下辺５３ａで折り返したもので、熱溶着ライン５３ｃ，５３ｄにて裏フィルム５２と溶着されている。この熱溶着ライン５３ｃ，５３ｄは図８（Ｂ）に細線の斜線を付して示す。シート材５３の下辺５３ａ及び上辺５３ｂは表裏フィルム５１，５２に対して非溶着である（図８（Ｃ）参照）。
【００５３】
シート材５３を裏フィルム５２と熱溶着（熱溶着ライン５３ｃ，５３ｄ）したのは、シート材５３を裏フィルム５２側により密着させ、シート材５３と表フィルム５１との間に緩衝空間５４（図８（Ａ）参照）を確保するためである。
【００５４】
なお、表裏フィルム５１，５２の素材は前記第１実施例で示したフィルム１１，１２と同様である。また、本第６実施例において、シート材５３は不織布又はプラスチックフィルムのいずれであってもよい。
【００５５】
本第６実施例は、シート材５３の間に、例えば、ＩＣチップ、コンタクトレンズやＣＤなど比較的薄い小物を挿入して包装する包装資材として使用される。即ち、上辺５０ａは製袋時には開口しておき、物品を収容した後に適量の空気を充填した状態で上辺５０ａを熱溶着する。これにて、緩衝空間５４に密閉された空気が緩衝機能を発揮して収容品を保護し、かつ、シート材５３が収容品を挟着してその位置ずれを防止する。
【００５６】
（第７実施例、図９及び図１０参照）
図９（Ａ），（Ｂ），（Ｃ）に、本発明の第７実施例である物品包装用プラスチックフィルム製袋５０Ａを示す。
【００５７】
この袋５０Ａは、基本的には前記第６実施例で示した袋５０と同じ構成からなり、同じ部品、部分には同じ符号を付し、重複した説明は省略する。異なるのは、シート材５３を溶着ライン５３ｃでは裏フィルム５２に溶着し、溶着ライン５３ｄでは表フィルム５１に溶着した点である。
【００５８】
シート材５３を裏フィルム５２及び表フィルム５１と熱溶着（熱溶着ライン５３ｃ，５３ｄ）したのは、袋５０Ａ内に空気を充填して密閉したときに袋５０Ａに上下の緩衝空間５４，５５（図１０参照）を確保するためである。
【００５９】
本第７実施例にあっても、シート材５３の間に、例えば、ＩＣチップ、コンタクトレンズやＣＤなど比較的薄い小物を挿入して包装する包装資材として使用される。即ち、上辺５０ａは製袋時には開口しておき、物品を収容した後に適量の空気を充填した状態で上辺５０ａを熱溶着する。これにて、緩衝空間５４，５５に密閉された空気が収容品の表裏部分に対して緩衝機能を発揮して収容品を保護し、かつ、シート材５３が収容品を挟着してその位置ずれを防止する。
【００６０】
（他の実施例）
なお、本発明に係るプラスチックフィルム製袋、物品包装用プラスチックフィルム製袋、物品収容方法及び物品包装方法は前記各実施例に限定されるものではなく、その要旨の範囲内で種々に変更することができる。
【００６１】
特に、表裏フィルムの間に挟み込むシート材が不織布などの繊維素材の場合、表裏フィルムが繊維間に浸透して直接溶着するので必ずしもシート材が表裏フィルムと溶融性を持つ素材でなくてもよい（例えば、ポリエチレンからなる表裏フィルムの間にポリエチレンテレフタレートからなる不織布を挟み込む場合）。また、シート材がプラスチックフィルムの場合、シート材としては表裏フィルムと溶融性のある素材が必要となり、収容物の滑り止めのための粗面を有する、例えば、マット加工、エンボス加工を施したものや、多孔フィルムなどが好ましい。また、第３実施例に示したように、クリップ３７，３８で収容物を止める形態であれば、シート材は表面が平滑なフィルムであってもよい。
【００６２】
さらに、吸湿剤、脱酸素剤、防虫剤などを前記不織布やシート材に含浸させたり、袋内部に同封してもよい。また、袋に気体を封入してもよく、窒素や炭酸ガスなど緩衝機能以外の効果を期待できる気体であってもよい。
【００６３】
さらに、シャツや小物の収容形態は前記各実施例に限定するものではなく、任意である。袋体の形状も完全な四角形状に限定するものではなく、収容物の形状に合わせて角部を切り取った八角形状や丸みをおびた形状であってもよい。
【図面の簡単な説明】
【００６４】
【図１】本発明の第１実施例であるプラスチックフィルム製袋を示し、（Ａ）はシャツを収容した状態を示す正面図、（Ｂ）は縦方向断面図である。
【図２】本発明の第２実施例であるプラスチックフィルム製袋にシャツを収容した状態を示す正面図である。
【図３】前記第２実施例であるプラスチックフィルム製袋を示し、（Ａ）はシャツを収容する途中の状態を示す縦方向断面図、（Ｂ）はシャツを収容した状態を示す縦方向断面図である。
【図４】本発明の第３実施例であるプラスチックフィルム製袋を示し、（Ａ）はシャツを収容した状態を示す正面図、（Ｂ）は縦方向断面図である。
【図５】本発明の第４実施例であるプラスチックフィルム製袋に眼鏡を収容した状態を示す斜視図である。
【図６】前記第４実施例であるプラスチックフィルム製袋を示し、（Ａ）は平面図、（Ｂ）は縦方向断面図、（Ｃ）は横方向断面図である。
【図７】本発明の第５実施例である物品包装用プラスチックフィルム製袋に眼鏡を包装した状態を示し、（Ａ）は平面図、（Ｂ）は横方向断面図である。
【図８】本発明の第６実施例である物品包装用プラスチックフィルム製袋を示し、（Ａ）は横方向断面図、（Ｂ）は正面図、（Ｃ）は縦方向断面図である。
【図９】本発明の第７実施例である物品包装用プラスチックフィルム製袋を示し、（Ａ）は横方向断面図、（Ｂ）は正面図、（Ｃ）は縦方向断面図である。
【図１０】前記第７実施例である物品包装用プラスチックフィルム製袋の空気密閉状態を示す断面図である。
【符号の説明】
【００６５】
１０，２０，３０，４０，４０Ａ，５０，５０Ａ…プラスチックフィルム製袋
１１，１２，２１，２２，３１，３２，４１，４２，５１，５２…プラスチックフィルム
１３，２３，４３…不織布
３３，５３…シート材
１５，２５，３５，４５…ジッパー
【図１】
2005153948.tif 000003
【図２】
2005153948.tif 000004
【図３】
2005153948.tif 000005
【図４】
2005153948.tif 000006
【図５】
2005153948.tif 000007
【図６】
2005153948.tif 000008
【図７】
2005153948.tif 000009
【図８】
2005153948.tif 000010
【図９】
2005153948.tif 000011
【図１０】
2005153948.tif 000012